【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
入力電圧を受ける入力端子と、
入力対の第１の入力に基準電圧を入力し、入力対の第２の入力と第１、第２の出力を有する差動段と、
前記差動段の前記第１及び第２の出力に第１及び第２の入力が接続された第１出力段と、
負荷に接続された出力と、第１及び第２の入力を有する第２出力段と、
一端が前記差動段の入力対の前記第２の入力に接続された容量素子と、
制御回路と、
を備え、
前記制御回路は、
前記差動段の前記第１及び第２の出力と前記第２出力段の前記第１及び第２の入力間を非導通状態とし、且つ、前記第１出力段の出力と前記第２出力段の出力間を非導通状態とし、且つ、前記第１出力段の出力と前記差動段の前記第２の入力間を導通状態とし、且つ、前記容量素子の他端とに前記入力端子間を導通状態とし、前記容量素子の前記他端に前記入力端子からの前記入力電圧が供給される第１接続形態と、
前記差動段の前記第１及び第２の出力と前記第２出力段の前記第１及び第２の入力間を導通状態とし、且つ、前記第１出力段の出力と前記第２出力段の出力を導通状態とし、且つ、前記第１出力段の出力と前記差動段の前記第２の入力間を非導通状態とし、且つ、前記容量素子の前記他端と前記入力端子間を非導通とし、且つ、前記第１出力段の出力と前記容量素子の前記他端間を導通状態としてなる第２接続形態と、
を切替える、ことを特徴とする出力増幅回路。
【請求項２】
前記制御回路は、
前記第１接続形態において、前記第２出力段を非活性状態とし、
前記第２接続形態において、前記第２出力段を活性状態とする、ことを特徴とする請求項１記載の出力増幅回路。
【請求項３】
前記入力電圧に応じて前記負荷を駆動するのに必要な期間が、
第１期間と、
前記第１期間の後の第２期間と、
を含み、
前記第１期間には、前記第１接続形態とされ、
前記第２期間には、前記第２接続形態とされる、ことを特徴とする請求項１又は２に記載の出力増幅回路。
【請求項４】
前記差動段の前記第１及び第２の出力と、前記第２出力段の前記第１及び第２の入力と、の間にそれぞれ接続された第１及び第２のスイッチと、
前記第１出力段の出力と前記第２出力段の出力との間に接続された第３のスイッチと、
前記入力端子と前記容量素子の前記他端との間に接続された第４のスイッチと、
前記第１出力段の出力と前記差動段の前記第２の入力との間に接続された第５のスイッチと、
前記第１出力段の出力と前記容量素子の前記他端との間に接続された第６のスイッチと、
を備えている、ことを特徴とする請求項１乃至３のいずれか１項に記載の出力増幅回路。
【請求項５】
前記制御回路は、
前記第１の接続形態では、前記第１、第２、第３、第６のスイッチをともにオフ状態とし、前記第４、第５のスイッチをオン状態とし、
前記第２接続形態では、前記第１、第２、第３、第６のスイッチをともにオン状態とし、前記第４、第５のスイッチをオフ状態とする、ことを特徴とする請求項４記載の出力増幅回路。
【請求項６】
入力電圧を受ける入力端子と、
出力電圧を出力する出力端子と、
非反転入力端子に基準電圧を入力し、反転入力端子と第１、第２の出力を有する差動段と、
前記差動段の前記第１及び第２の出力に第１及び第２の入力が接続された第１出力段と、
第１及び第２の入力を有し、出力が前記出力端子に接続された第２出力段と、
前記差動段の前記第１及び第２の出力と、前記第２出力段の前記第１及び第２入力との間にそれぞれ接続された第１及び第２のスイッチと、
前記第１出力段の出力と前記第２出力段の出力との間に接続された第３のスイッチと、
一端が前記差動段の前記反転入力端子に接続された容量素子と、
前記入力端子と前記容量素子の他端との間に接続された第４のスイッチと、
前記第１出力段の出力と前記容量素子の前記一端との間に接続された第５のスイッチと、
前記第１出力段の出力と前記容量素子の前記他端との間に接続された第６のスイッチと、
前記第１乃至第６のスイッチのオン・オフを制御する制御回路と、
を備えた出力増幅回路。
【請求項７】
前記出力増幅回路が前記入力電圧に応じた出力電圧を前記出力端子より出力する１出力期間に第１及び第２の期間を含み、
前記制御回路は、前記第１の期間では、前記第１、第２、第３、第６のスイッチをともにオフ状態とし、前記第４、第５のスイッチをオン状態とし、
前記第２の期間では、前記第１、第２、第３、第６のスイッチをともにオン状態とし、前記第４、第５のスイッチをオフ状態とする、ことを特徴とする請求項６記載の出力増幅回路。
【請求項８】
前記第１出力段が、
第１電源電位を与える第１電源端子と、第２電源電位を与える第２電源端子の間に直列に接続された第１及び第２のトランジスタを備え、
前記第１及び第２のトランジスタの制御端子は前記第１出力段の前記第１及び第２の入力をなし、前記差動段の前記第１及び第２出力にそれぞれ接続され、
前記第２出力段が、
前記第１電源端子と前記第２電源端子間に直列に接続された第３及び第４のトランジスタを備え、
前記第３及び第４のトランジスタの制御端子は、前記第２出力段の前記第１及び第２の入力をなし、
前記第１及び第２のトランジスタの接続点は前記第１出力段の出力ノードをなし、
前記第３及び第４のトランジスタの接続点は前記第２出力段の出力ノードをなし、
前記第１のスイッチは、前記第１のトランジスタの制御端子と前記第３のトランジスタの制御端子との間に接続され、
前記第２のスイッチは、前記第２のトランジスタの制御端子と前記第４のトランジスタの制御端子との間に接続され、
前記第３のスイッチは、前記第１及び第２のトランジスタの接続点と、前記第３及び第４のトランジスタの接続点との間に接続されることを特徴とする請求項６記載の出力増幅回路。
【請求項９】
前記第１電源端子と前記第３のトランジスタの制御端子との間に接続された第７のスイッチを備え、前記第７のスイッチが導通状態のとき、前記第３のトランジスタをオフ状態とし、
前記第２電源端子と前記第４のトランジスタの制御端子との間に接続された第８のスイッチを備え、前記第８のスイッチが導通状態のとき、前記第８のトランジスタをオフ状態とする、ことを特徴とする請求項８に記載の出力増幅回路。
【請求項１０】
前記出力増幅回路が前記入力電圧に応じた出力電圧を前記出力端子より出力する１出力期間に第１及び第２の期間を含み、
前記制御回路は、前記第１の期間では、前記第１乃至第３、前記第６のスイッチはともにオフ状態とし、且つ、前記第４、第５、第７及び第８のスイッチをともにオン状態として前記第３、及び第４のトランジスタをオフ状態とし、
前記第２の期間では、前記第１乃至第３、前記第６のスイッチはともにオン状態とし、且つ、前記第４、第５、第７及び第８のスイッチをともにオフ状態とする、ことを特徴とする請求項９記載の出力増幅回路。
【請求項１１】
前記第２出力段の前記第３及び第４のトランジスタの閾値電圧の絶対値は、前記第１出力段の前記第１及び第２のトランジスタの閾値電圧の絶対値よりも大とされる、ことを特徴とする請求項８又は９記載の出力増幅回路。
【請求項１２】
前記第１出力段の前記第１のトランジスタの制御端子と前記差動段の第１出力との接続点と、前記第２出力段の前記第３のトランジスタの制御端子との間に、前記第１のスイッチと直列に、第１のレベルシフト回路を備え、
前記第１出力段の前記第２のトランジスタの制御端子と前記差動段の第２出力との接続点と、前記第２出力段の前記第４のトランジスタの制御端子との間に、前記第２のスイッチと直列に、第２のレベルシフト回路を備えている、ことを特徴とする請求項８又は９記載の出力増幅回路。
【請求項１３】
前記第２出力段の出力電圧が前記容量素子の他端に与えられた前記入力電圧に対応した電圧に達すると、前記第２出力段は活性状態から非活性状態となる、ことを特徴とする請求項１１又は１２記載の出力増幅回路。
【請求項１４】
第１組をなす前記入力端子と、前記差動段と、前記第１出力段と、前記容量素子と、に加え、
第２組をなす入力端子と、差動段と、第１出力段と、容量素子とを備え、
前記第２組の前記差動段は入力対の第１の入力に前記基準電圧が入力され、前記第２組の容量素子は一端が前記第２組の前記差動段の入力対の第２の入力に接続され、
前記第２出力段は、前記第１、第２の組に対して共通に１つ備えており  前記制御回路は、
前記第１組の前記差動段の前記第１及び第２の出力と前記第２出力段の前記第１及び第２の入力間を非導通状態とし、且つ、前記第１組の前記第１出力段の出力と前記第２出力段の出力間を非導通状態とし、且つ、前記第１組の前記第１出力段の出力と前記第１組の前記差動段の前記第２の入力間を導通状態とし、且つ、前記第１組の前記容量素子の前記他端と前記第１組の前記入力端子間を導通状態とし、前記第１組の前記容量素子の前記他端に前記第１組の前記入力端子からの前記入力電圧が供給される前記第１接続形態と、
前記第１組の前記差動段の前記第１及び第２の出力と前記第２出力段の前記第１及び第２の入力間を導通状態とし、且つ、前記第１組の前記第１出力段の出力と前記第２出力段の出力を導通状態とし、且つ、前記第１組の前記第１出力段の出力と前記第１組の前記差動段の前記第２の入力間を非導通状態とし、且つ、前記第１組の前記容量素子の前記他端と前記第１組の前記入力端子間を非導通とし、且つ、前記第１組の前記第１出力段の出力と前記第１組の前記容量素子の前記他端間を導通状態としてなる前記第２接続形態と、に加えて、
前記第２組の前記差動段の前記第１及び第２の出力と前記第２出力段の前記第１及び第２の入力間を非導通状態とし、且つ、前記第２組の前記第１出力段の出力と前記第２出力段の出力間を非導通状態とし、且つ、前記第２組の前記第１出力段の出力と前記第２組の前記差動段の前記第２の入力間を導通状態とし、且つ、前記第２組の前記容量素子の前記他端と前記第２組の前記入力端子間を導通状態とし、前記第２組の前記容量素子の前記他端に前記第２組の前記入力端子からの前記入力電圧が供給される第３接続形態と、
前記第２組の前記差動段の前記第１及び第２の出力と前記第２出力段の前記第１及び第２の入力間を導通状態とし、且つ、前記第２組の前記第１出力段の出力と前記第２出力段の出力を導通状態とし、且つ、前記第２組の前記第１出力段の出力と前記第２組の前記差動段の前記第２の入力間を非導通状態とし、且つ、前記第２組の前記容量素子の前記他端と前記第２組の前記入力端子間を非導通とし、且つ、前記第２組の前記第１出力段の出力と前記第２組の前記容量素子の前記他端間を導通状態としてなる第４接続形態と、  
を切替え可能とされる、ことを特徴とする請求項１又は２記載の出力増幅回路。
【請求項１５】
前記第１組の前記差動段と前記第１出力段と前記容量素子が前記第２の接続形態で、活性化された前記第２出力段とともに動作するとき、前記第２組の前記差動段と前記第１出力段と前記容量素子は前記第３の接続形態とされ、
前記第２組の前記差動段と前記第１出力段と前記容量素子が前記第４の接続形態で、活性化された前記第２出力段とともに動作するとき、前記第１組の前記差動段と前記第１出力段と前記容量素子は前記第１の接続形態とされる、ことを特徴とする請求項１４記載の出力増幅回路。
【請求項１６】
第１組をなす前記入力端子と、前記差動段と、前記第１出力段と、前記容量素子と、に加え、
第２組をなす入力端子と、差動段と、第１出力段と、容量素子とを備え、
前記第２組の前記差動段は非反転入力端子に前記基準電圧が入力され、前記第２組の容量素子は一端が前記第２組の前記差動段の反転入力端子に接続され、
前記第２出力段は、前記第１、第２の組に対して共通に１つ備えており、
前記第１組の前記差動段の前記第１及び第２出力と、前記第２出力段の前記第１及び第２の入力と、の間にそれぞれ接続された前記第１及び第２のスイッチと、
前記第１組の前記第１出力段の出力と前記第２出力段の出力との間に接続された前記第３のスイッチと、
前記第１組の前記入力端子と前記第１組の前記容量素子の前記他端との間に接続された前記第４のスイッチと、
前記第１組の前記第１出力段の出力と前記第１組の前記容量素子の前記一端との間に接続された前記第５のスイッチと、
前記第１組の前記第１出力段の出力と前記第１組の前記容量素子の前記他端との間に接続された前記第６のスイッチと、に加えて、
前記第２組の前記差動段の第１及び第２出力と、前記第２出力段の第１及び第２の入力と、の間にそれぞれ接続された第７及び第８のスイッチと、
前記第２組の前記第１出力段の出力と前記第２出力段の出力との間に接続された第９のスイッチと、
前記第２組の前記入力端子と前記第２組の前記容量素子の前記他端との間に接続された第１０のスイッチと、
前記第２組の前記第１出力段の出力と前記第２組の前記容量素子の前記一端との間に接続された第１１のスイッチと、
前記第２組の前記第１出力段の出力と前記第２組の前記容量素子の前記他端との間に接続された第１２のスイッチと、
を備えたことを特徴とする請求項６記載の出力増幅回路。
【請求項１７】
前記制御回路は、
前記第２組の前記入力端子の入力電圧に応じて前記負荷を駆動する期間が第１及び第２の期間を含み、
前記第１の期間では、前記第１、第２、第３、第６のスイッチと前記第４のスイッチをともにオフ状態とし、前記第５のスイッチをオン状態とし、前記第７、第８、第９、第１２のスイッチをともにオフ状態とし、前記第１０、第１１のスイッチをオン状態とし、
前記第２の期間では、前記第１、第２、第３、第６のスイッチをともにオフ状態とし、前記第４、第５のスイッチをオン状態とし、前記第７、第８、第９、第１２のスイッチをともにオン状態とし、前記第１０、第１１のスイッチをオフ状態とし、
前記第１組の前記入力端子の前記入力電圧に応じて前記負荷を駆動する期間が第３及び第４の期間を含み、
前記第３の期間では、前記第１、第２、第３、第６のスイッチをともにオフ状態とし、前記第４、第５のスイッチをオン状態とし、前記第７、第８、第９、第１２のスイッチと前記第１０のスイッチをともにオフ状態とし、前記第１１のスイッチをオン状態とし、
前記第４の期間では、前記第１、第２、第３、第６のスイッチをともにオン状態とし、前記第４、第５のスイッチをオフ状態とし、前記第７、第８、第９、第１２のスイッチをともにオフ状態とし、前記第１０、第１１のスイッチをオン状態とする、ことを特徴とする請求項１６記載の出力増幅回路。
【請求項１８】
前記制御回路は、
前記第１、第２、第３、第６のスイッチと前記第１０、第１１のスイッチをオフ状態とし、且つ、前記第７、第８、第９、第１２のスイッチと前記第４、第５のスイッチをオン状態とする第１の期間と
前記第１、第２、第３、第６のスイッチと前記第１０、第１１のスイッチをオン状態とし、且つ、前記第７、第８、第９、第１２のスイッチと前記第４、第５のスイッチをオフ状態とする第２の期間と、
を交互に繰り返す、ことを特徴とする請求項１６記載の出力増幅回路。
【請求項１９】
データ線と走査線の交差部に画素スイッチと表示素子を含む単位画素を備えた表示装置の前記データ線を負荷として駆動するデータドライバであって、請求項１乃至１８のいずれか１項に記載の出力増幅回路を備えたデータドライバ。
【請求項２０】
一の方向に互いに平行に延在された複数本のデータ線と、
前記一の方向に直交する方向に互いに平行に延在された複数本の走査線と、
前記複数本のデータ線と前記複数本の走査線の交差部にマトリクス状に配置された複数の表示素子と、
を備え、
ドレイン及びソースの一方の入力が対応する前記表示素子の端子に接続され、前記ドレイン及びソースの他方の入力が対応する前記データ線に接続され、ゲートが対応する前記走査線に接続されている複数のトランジスタを有し、
前記複数の走査線に対して走査信号をそれぞれ供給するゲートドライバと、
前記複数のデータ線に対して入力データに対応した階調信号をそれぞれ供給するデータドライバと、
を備え、
前記データドライバは、請求項１９に記載の前記データドライバよりなる、ことを特徴とする表示装置。
【手続補正２】
【補正対象書類名】明細書
【補正対象項目名】００１１
【補正方法】変更
【補正の内容】
【００１１】
入力端子Ｎ１に非反転入力端子が接続される差動段９００と、第１電源端子（ＶＤＤ）にソースが接続され、ゲートが差動段９００の第１の出力に接続されドレインが出力端子Ｎ３に接続されたｐＭＯＳトランジスタＭ９３と、ソースが第２電源端子（ＶＳＳ）に接続されゲートが差動段９００の第２出力（第１出力と同相信号が出力される）に接続され、ドレインが出力端子Ｎ３に接続されたｎＭＯＳトランジスタＭ９４とを備え、出力端子Ｎ３は差動段９００の反転入力端子に接続されている。出力増幅回路の出力端子Ｎ３と負荷（データ線）９０との間には出力スイッチＳＷ９０（トランスファゲート）が設けられている。
【手続補正３】
【補正対象書類名】明細書
【補正対象項目名】００１７
【補正方法】変更
【補正の内容】
【００１７】
ｐＭＯＳトランジスタＭ１４、Ｍ１６の接続ノード（ｎＭＯＳ差動対の出力）と出力端子２間には、容量Ｃ３（位相補償容量）が挿入され、ｎＭＯＳトランジスタＭ２４、Ｍ２６の接続ノード（ｐＭＯＳ差動対の出力）と出力端子２間には、容量Ｃ４が接続されている。
【手続補正４】
【補正対象書類名】明細書
【補正対象項目名】００２０
【補正方法】変更
【補正の内容】
【００２０】
入力段差動対トランジスタＭ３、Ｍ４には、オフセット状態を記憶するオフセットキャンセル回路１１が接続される。オフセットキャンセル回路１１は、入力電圧ＩＮにオフセット電圧ΔＶが加算された電圧（ＩＮ＋ΔＶ）を記憶する。
【手続補正５】
【補正対象書類名】明細書
【補正対象項目名】００２２
【補正方法】変更
【補正の内容】
【００２２】
オフセットキャンセル期間で、スイッチＳＷ２をオフ（非導通）、スイッチＳＷ１、ＳＷ３をオン（導通）にして、トランジスタＭ３、Ｍ４、Ｍ６のゲートに入力電圧ＩＮを印加する。このとき、オフセットキャンセル回路１１内のトランジスタＭ５のゲートＮ２は、スイッチＳＷ３を介してトランジスタＭ７のドレインＮ１がフィードバックされ、入力電圧ＩＮに対するボルテージフォロワ構成となる。この結果、容量Ｃ１には、入力電圧ＩＮに、オフセット電圧ΔＶが加算された電圧（ＩＮ＋ΔＶ）が記憶される。
【手続補正６】
【補正対象書類名】明細書
【補正対象項目名】００４０
【補正方法】変更
【補正の内容】
【００４０】
本発明によれば、入力対の第１の入力に基準電圧を入力し、入力対の第２の入力と第１、第２の出力を有する差動段と、
前記差動段の前記第１及び第２の出力に第１及び第２の入力が接続された第１出力段と、
負荷に接続された出力と、第１及び第２の入力を有する第２出力段と、
一端が前記差動段の入力対の前記第２の入力に接続された容量素子と、
制御回路と、
を備え、
前記制御回路は、
前記差動段の前記第１及び第２の出力と前記第２出力段の前記第１及び第２の入力間を非導通状態とし、且つ、前記第１出力段の出力と前記第２出力段の出力間を非導通状態とし、且つ、前記第１出力段の出力と前記差動段の前記第２の入力間を導通状態とし、且つ、前記容量素子の他端とに前記入力端子間を導通状態とし、前記容量素子の前記他端の電圧が入力端子からの入力電圧とされる第１接続形態と、
前記差動段の前記第１及び第２の出力と前記第２出力段の前記第１及び第２の入力間を導通状態とし、且つ、前記第１出力段の出力と前記第２出力段の出力を導通状態とし、且つ、前記第１出力段の出力と前記差動段の前記第２の入力間を非導通状態とし、且つ、前記容量素子の前記他端と前記入力端子間を非導通とし、且つ、前記第１出力段の出力と前記容量素子の前記他端間を導通状態としてなる第２接続形態と、
切替える出力増幅回路が提供される。本発明によれば、この出力増幅回路を備えたデータドライバ、及び表示装置が提供される。
【手続補正７】
【補正対象書類名】明細書
【補正対象項目名】００４３
【補正方法】変更
【補正の内容】
【００４３】
本発明の実施形態について以下に説明する。本発明に係る出力増幅回路は、一形態において、入力電圧（Ｖａ）を受ける入力端子（８）と、第１の入力に基準電圧（Ｖｒｅｆ）を入力する差動段（１００）と、差動段（１００）の第１及び第２の出力（４、６）を受ける第１出力段（１１０）と、負荷（９０）に出力（３）が接続された第２出力段（１２０）と、一端が差動段（１００）の第２の入力（１０）に接続された容量素子（Ｃ１）と、第１、第２の接続形態を切り替えを制御する制御回路（５００、５１０、５２０）とを備えている。
【手続補正８】
【補正対象書類名】明細書
【補正対象項目名】００４４
【補正方法】変更
【補正の内容】
【００４４】
制御回路は、第１接続形態では、
スイッチ（ＳＷ１１、ＳＷ１２）をオフして差動段（１００）の第１及び第２の出力（４、６）と第２出力段（１２０）の第１及び第２の入力（５、７）間を非導通状態とし、且つ、
スイッチ（ＳＷ１０）をオフとして第１出力段（１１０）の出力（２）と第２出力段（１２０）の出力（３）間を非導通状態とし、且つ、
スイッチ（ＳＷ３２）をオンして、第１出力段（１１０）の出力（２）と差動段（１００）の第２入力（１０）間を導通状態とし、且つ、
スイッチ（ＳＷ３１）をオンして、容量素子（Ｃ１）の他端（９）に入力端子（８）からの入力電圧（Ｖａ）が供給される。第１出力段（１１０）の出力（２）と容量素子（Ｃ１）の他端（９）との間のスイッチ（ＳＷ３３）はオフとされる。
【手続補正９】
【補正対象書類名】明細書
【補正対象項目名】００４５
【補正方法】変更
【補正の内容】
【００４５】
制御回路は、第２の接続形態では、
スイッチ（ＳＷ１１、ＳＷ１２）をオンして差動段（１００）の第１及び第２の出力（４、６）と第２出力段の第１及び第２の入力（５、７）間を導通状態とし、且つ、
スイッチ（ＳＷ１０）をオンして第１出力段（１１０）の出力（２）と第２出力段（１２０）の出力（３）を導通状態とし、且つ、
スイッチ（ＳＷ３２）をオフして第１出力段（１１０）の出力（２）と差動段（１００）の第２入力（１０）間を非導通状態とし、且つ、
スイッチ（ＳＷ３１）をオフして容量素子（Ｃ１）の他端（９）と入力端子（８）とを非導通状態とし、且つ、
スイッチ（ＳＷ３３）をオンして第１出力段（１１０）の出力（２）と容量素子（Ｃ１）の他端（９）間を導通状態とする。
【手続補正１０】
【補正対象書類名】明細書
【補正対象項目名】００４８
【補正方法】変更
【補正の内容】
【００４８】
第２の期間（Ｔ２）では、第２の接続形態とし、スイッチ（ＳＷ１１、ＳＷ１２）をオン（導通）し、第２出力段（１２０）の第１及び第２の入力（５、７）を差動段（１００）の第１及び第２の出力（４、６）に接続して活性化し、スイッチ（ＳＷ１０）をオン（導通）し、負荷（９０）を、第１出力段（１１０）の出力ノード（２）に接続し、第１出力段（１１０）及び第２出力段（１２０）にて駆動する。また、第２の期間（Ｔ２）では、スイッチ（ＳＷ３２）とスイッチ（ＳＷ３１）をオフ（非導通）し、スイッチ（ＳＷ３３）をオン（導通）させる。スイッチ（ＳＷ３１）がオフ（非導通）であるため、容量素子（Ｃ１）の他端（９）は、入力端子（８）から切り離され、容量素子（Ｃ１）の端子間電圧｛Ｖａ−（Ｖｒｅｆ＋Ｖｏｆｆ）｝に、スイッチ（ＳＷ３２）がオフする前の端子（１０）の電圧（Ｖｒｅｆ＋Ｖｏｆｆ）を加えた電圧に対応した電圧（したがって、入力電圧（Ｖａ））となる。第１出力段（１１０）の出力ノード（２）に接続された出力ノード（３）の電圧（Ｖｏ）は、出力オフセットのない電圧（Ｖａ）に対応した電圧となる。
【手続補正１１】
【補正対象書類名】明細書
【補正対象項目名】００６９
【補正方法】変更
【補正の内容】
【００６９】
図７は、図６の動作の一例を説明するためのタイミング図である。図７では、スイッチ制御の異なる第１及び第２のデータ期間（ＴＤ１、ＴＤ２）を示しており、各データ期間のそれぞれに第１及び第２の期間Ｔ１、Ｔ２が含まれる。データ期間ＴＤ１では、２組目の差動段１０１と第１出力段１１１、及び、第２出力段１２０により負荷９０が駆動される。データ期間ＴＤ１において、第１の期間Ｔ１に、スイッチＳＷ４１、ＳＷ４２がオン（導通）、スイッチＳＷ２０、ＳＷ２１、ＳＷ２２、ＳＷ４３がオフ（非導通）とされ、基準電圧Ｖｒｅｆに第２の出力オフセット（Ｖｏｆｆ２）を加算した電圧がノード２０に印加され、容量Ｃ２の端子間に、入力端子１８の入力電圧Ｖａ２とノード２０の電圧（Ｖｒｅｆ＋Ｖｏｆｆ２）との電圧差を蓄積する。第２出力段１２０は非活性とされ、出力増幅回路は負荷９０から切断される。
【手続補正１２】
【補正対象書類名】明細書
【補正対象項目名】００７２
【補正方法】変更
【補正の内容】
【００７２】
データ期間ＴＤ２では、１組目の差動段１００と第１出力段１１０、及び、第２出力段１２０により負荷９０が駆動される。データ期間ＴＤ２において、第１の期間Ｔ１に、スイッチＳＷ３１、ＳＷ３２がオン（導通）、スイッチＳＷ１０、ＳＷ１１、ＳＷ１２、ＳＷ３３がオフ（非導通）とされ、データ期間ＴＤ１の第２の期間Ｔ２のスイッチ状態が継続される。したがって、容量Ｃ１には、入力端子８の入力電圧Ｖａ１とノード１０の電圧（Ｖｒｅｆ＋Ｖｏｆｆ１）の電圧差が蓄積されている。第２出力段１２０は非活性とされ、出力増幅回路は負荷９０から切断される。
【手続補正１３】
【補正対象書類名】明細書
【補正対象項目名】００９３
【補正方法】変更
【補正の内容】
【００９３】
参照電圧発生回路８０４は、正極参照電圧群及び負極参照電圧群を生成する。正極デコーダ８０５Ｐは、正極参照電圧群が供給され、入力されたデータに対応した参照電圧を選択して、正極参照電圧として出力する。負極デコーダ８０５Ｎは、負極参照電圧群が供給され、入力されたデータに対応した参照電圧を選択して、負極参照電圧として出力する。各出力増幅回路８０６は、正極デコーダ８０５Ｐ及び負極デコーダ８０５Ｎからそれぞれ出力された参照電圧を入力し、制御信号発生回路５００からの制御信号によりオフセットキャンセルして演算増幅した出力電圧で負荷（データ線）９０を駆動する。液晶表示装置のデータ線は通常隣接間で電圧極性が異なるため、正極デコーダ８０５Ｐ、負極デコーダ８０５Ｎからの正極参照電圧、負極参照電圧は、極性信号に基づき、隣接する負荷（データ線）９０を駆動する２つの出力増幅回路８０６にストレート出力するか、交差出力するかが切り替えられる。極性信号は制御信号発生回路５００で出力増幅回路８０６の制御信号とともに生成される。
【手続補正１４】
【補正対象書類名】明細書
【補正対象項目名】０１０２
【補正方法】変更
【補正の内容】
【０１０２】
デコーダ８０５は、入力されたデータに対応した参照電圧を選択して出力増幅回路８０６へ出力する。